(57)【要約】  デジタル時計が開示され、前記デジタル時計は、入力部、制御部及び時間表示部を備えてなるデジタル時計において、２個乃至４個のボタン式で構成され、時間表示部の周り、時計の側面または時計バンド上に設けられ、現在時刻、日付情報、アラーム時刻、タイマー、地域時刻の一部または全部を追加に設定入力することができる入力部と、メモリ、ＣＰＵ、リアルタイム時計（ＲＴＣ）及び補助電源装置で構成される制御部と、午前／午後、アラーム、タイマー、地域時刻識別部の一部または全部を含む時間表示部と、を含む。【選択図】図４Ａ
2009541772.tif 000002
【特許請求の範囲】
【請求項１】
入力部、制御部及び時間表示部を備えてなるデジタル時計において、
２個乃至４個のボタン式で構成され、時間表示部の周り、時計の側面または時計バンド上に設けられ、現在時刻、日付情報、アラーム時刻、タイマー、地域時刻の一部または全部を設定入力する入力部と、
メモリ、ＣＰＵ及びリアルタイム時計（ＲＴＣ）に補助電源を供給する補助電源装置と、前記リアルタイム時計から得られた時間情報と前記入力部から得られた時間情報がＣＰＵを通じて総合されて格納されるメモリと、前記リアルタイム時計から伝達された時間情報、前記入力部から伝達された時間情報、前記メモリに格納された情報から得られた時間情報及び時間表示部からフィードバックされた時間情報を総合し、総合された時間情報を含む制御信号を発生させて時間表示部に時間情報を伝送して制御するＣＰＵとを含む制御部と、
午前／午後、アラーム、タイマー、地域時刻識別部の一部または全部を含み、時間表示部中心の周りに１２個のＬＥＤで構成された時表示スケールと、前記時表示スケールの外郭に前記と同一中心に５９個または６０個のＬＥＤで構成された分表示スケールと、前記分表示スケールの外郭に前記と同一中心に５９個または６０個のＬＥＤで構成された秒表示スケールとを含み、前記時、分、秒の時間表示スケールは、大きさ、形状または色相の一部または全部が異なり、また、前記ＬＥＤは、前記制御部から伝達された時間情報によって時計方向に順次に点滅または累進的に点灯されるようにして時間の流れを示す時間表示部と、を備えてなることを特徴とするデジタル時計。
【請求項２】
前記時間表示部は、時間表示部の中心に６個または７個のＬＥＤで構成された曜日表示スケールをさらに含み、前記分表示スケールは、１２方位に分けられて各方位内で層を成し、５分または分表示スケールが５９個である場合、最後の１２番目方位内では４分を示すように放射状に配列され、前記分表示スケールは、各方位内では時間情報によって外側方向に順次に点滅または累進的に点灯されるようにして時間の流れを示すことを特徴とする請求項１に記載のデジタル時計。
【請求項３】
前記時間表示部は、時間表示部の中心に６個または７個のＬＥＤで構成された曜日表示スケールをさらに含み、前記時間表示スケールは、同一中心に所定の角度でバースケールで構成され、前記分または秒表示バースケールは、５分または５秒単位スケール及び残りのスケール色と異なる色を有することを特徴とする請求項１に記載のデジタル時計。
【請求項４】
前記時間表示部は、前記時間表示部の中心または最外郭時間表示スケールの下部にＬＣＤ窓を備えてなり、
前記ＬＣＤ窓は、前記の補助電源装置によって補助電源を供給され、前記入力部を通じて設定入力される時間または日付情報を示し、前記午前／午後、アラーム、タイマー、地域時刻識別部の一部または全部を含んで示すことを特徴とする 請求項１乃至３のいずれかに記載のデジタル時計。
【請求項５】
前記時間表示部の曜日または時間表示スケールが表示されたスケール板の裏面にスケールとスケールの間に光の広がりを遮断するブロックが形成されていることを特徴とする請求項４に記載のデジタル時計。
【請求項６】
前記入力部は、１つまたは複数の予定日または予定時刻を設定入力し、予定日または予定時刻までの残余日／残余時間を確認するボタンを含み、
前記制御部は、前記入力部が残余日／残余時間を確認する場合に、前記実時間時計と前記メモリから伝達された時間情報によって変わる現在日または現在の時刻から１つまたは複数の予定日または予定時刻までの１つまたは複数の残余日／残余時間の情報を前記時間表示部に示すように制御し、
前記時間表示部は、残余日／残余時間識別部をさらに備え、前記時間表示部に残余時間として表示される場合、前記時間表示スケールは、前記制御部からの１つまたは複数の残余時間情報によって現在時刻進行方向の反対に順次に点滅または消灯されるようにして１つまたは複数の残余時間を示し、一方、前記時間表示部に残余日として表示される場合に、前記時表示スケールは、残余月数を示し、前記１２方位の放射状に配列された分表示スケールは、前記時間表示部を中心に６方位に区分され、前記各方位内では、内側から外側方向にスケール２個ずつ集められた５個の各層が残余日数を示すか、前記時間表示部を中心に所定の角度で配列された分表示スケールの場合には、２個スケール当たり残余日１日を示し、また、１つまたは複数の残余日の経過によって現在時刻進行方向の反対に順次に点滅または消灯されるようにして１つまたは複数の残余日数を示し、
前記時間表示部の前記ＬＣＤ窓は、前記入力部を通じて入力される１つまたは複数の予定日または予定時刻を示し、予定機能設定及び残余日／残余時間識別部を含むことを特徴とする請求項５に記載のデジタル時計。
【請求項７】
前記入力部は、予定場所または相手方情報を設定入力するボタンをさらに備え、
前記時間表示部の前記ＬＣＤ窓は、前記入力部を通じて入力される１つまたは複数の予定場所または相手方情報を示すことを特徴とする請求項６に記載のデジタル時計。
【請求項８】
入力部、制御部及び時間表示部を備えてなるデジタル時計の時間表示方法において、
前記入力部が、現在時刻、アラーム時刻、タイマー、地域時刻の一部または全部を設定したり入力する入力段階と、
前記制御部のメモリで前記ＣＰＵを通じてリアルタイム時計（ＲＴＣ）から得られた時間情報と前記入力部から得られた時間情報が総合されて格納され、前記メモリからフィードバックされた時間情報、リアルタイム時計（ＲＴＣ）から伝達された時間情報、前記入力部から伝達された時間情報及び時間表示部からフィードバックされた時間情報を前記ＣＰＵで総合し、前記ＣＰＵで総合された時間情報を含む制御信号を発生させて時間表示部に時間情報を伝達して制御する制御段階と、
前記時間表示部が午前／午後に識別表示され、時、分、秒の時間表示スケールを構成するＬＥＤが前記制御部から伝達された変わる時間情報によって現在時刻を時計方向に順次に点滅または累進的に点灯されるようにして現在時間情報を表示する現在時刻表示段階と、を含むことを特徴とする時間表示方法。
【請求項９】
前記分表示スケールが１２方位の放射状に配列され、各方位別に５分ずつを示すように構成され、前記分表示スケールを構成するＬＥＤは、各方位内では内側から外側に順次に点滅または累進的に点灯されるようにして現在時間情報を表示することを特徴とする請求項８に記載の時間表示方法。
【請求項１０】
前記入力部が、１つまたは多数の予定日、予定時刻、予定場所または相手方情報を設定入力するスケジュール入力段階と、
前記入力部は、前記予定日または予定時刻を設定入力した後に、残余日／残余時間を確認することができるようにする残余日／残余時間確認段階と、
前記制御部は、前記スケジュール入力段階完了と同時に、前記リアルタイム時計から伝達された時間情報によって変わる現在時刻から１つまたは多数の予定日または予定時刻までの残余日／残余時間を計算するスケジュール計算段階と、
前記制御部は、前記入力部が残余日／残余時間を確認する場合、前記計算された１つまたは多数の残余日／残余時間情報によってそれらのうち残余時間が１２時間または２４時間未満の場合にのみ、前記時間表示部に時間表示スケールによって残余時間が表示されるように制御し、残余時間が１２時間または２４時間以上の場合にのみ、前記時間表示部に表示スケールによって残余日が表示されるように制御するスケジュール制御段階と、
前記時間表示部は、前記入力部が残余時間を確認する場合、前記時間表示スケールを構成するＬＥＤが前記制御部から伝達された変わる１つまたは多数の残余時間によって現在時刻進行方向の反対に順次に点滅または消灯されるようにして１つまたは多数の残余時間情報を表示する残余時間表示段階と、
前記時間表示部は、前記入力部が残余日を確認する場合、前記時表示スケールは、残余月数を示し、前記分表示スケールは、スケール２個当り残余日１日を示すか、前記１２方位の放射状に配列された分表示スケールは、前記時間表示部を中心に６方位に区分され、前記各方位内では外側から内側方向にスケール２個ずつ集められた５個の各層が残余日数を示し、また、１つまたは複数の残余日の経過によって現在時刻進行方向の反対に順次に点滅または消灯されるようにして１つまたは多数の残余日情報を表示する残余日表示段階と、をさらに含むことを特徴とする請求項８または９に記載の時間表示方法。
【発明の詳細な説明】
【技術分野】
【０００１】
本発明は、ＬＥＤディスプレイ時計及びその時間表示方法に関し、より具体的には、曜日、時間、分、秒を示すＬＥＤスケールが時計方向に順次に点滅または累進的に点灯されるようにして現在時間を示し、予定日／予定時間を入力し、残余日／残余時間確認設定によって時間または分表示ＬＥＤスケールまたは残余日を示すＬＥＤスケールが現在時刻進行方向の反対に順次に点滅または消灯されるようにして残余日／残余時間を示すデジタル時計及びその時間表示方法に関する。
【背景技術】
【０００２】
従来のＬＣＤ窓に数字で時間を表示するデジタル時計は、誰でも容易に現在時間を把握することが可能であるという理由で多く使用されてきたが、次第に他の面で不便さを感じるようになった。一般的に、消費者は、単純に現在時刻を把握するために時計を使用するものではなく、時間の間隔、すなわち特定時刻から時間がどれほど経過したか、または特定時刻まで時間がどれほど残ったかを把握することを望む。しかし、従来のＬＣＤ窓に数字で表示されるデジタル時計は、現在時刻を示す時刻を読んで、現在時刻から特定時刻を差し引くか、それともその反対にして時間の間隔を把握しなければならないが、このような方法は、即刻で且つ迅速な時間間隔の把握が難しく、間違いやすかった。
【０００３】
例えば、図１に示されたように、現在時刻が７時１４分５３秒である場合、現在時間を把握することは非常に容易であるが、出発時刻が５時３０分からどれほど経過したかを把握するためには、６０進法で減算をしてから１時間４５分頃になったことを知ることができ、計算が間違いやすい。また、予定された約束時間がどれほど残ったかを計算するに際しても同様である。
【０００４】
また、従来のＬＣＤ時計やアナログ時計は、暗い所では時間確認を正確にすることができないので、時計に別途のライトを具備しなければならなかった。
【０００５】
一方、消費者も数字で時間を示す従来のデジタル時計の新鮮さをこれ以上捜すことができなくなり、食傷気味になった。
【０００６】
一方、図２Ａ及び図２Ｂに示されたように、韓国特許公開第１０−２００３−００４０２４７号公報は、従来のＬＥＤディスプレイ時計を開示する。図２Ａに示されたように、分表示ＬＥＤスケールは、５分単位で設けられていて、正確な時間把握が不可能であり、図２Ｂのように、棒グラフ形式で時間を表現する場合にも、１２時間を示す時表示スケールと６０分を示す分表示スケールとが同じ高さとなっており、分表示スケールが６０個で形成されない場合には、正確な時間把握が難しいか、不可能になる。また、６０等分に区分されるべき分表示スケール１０２や秒表示スケール１０３が１２等級表示である時表示スケール１０１より内側に配置されていて、時間把握が非常に難しい。前記第１０−２００３−００４０２４７号公報の出願人も、出願明細書でそのような事実を認定し、おおよそ時間を感知するに適当であると言い、但し、ファッション用でＬＥＤ時計を具現しようとする。図２Ｂのような方式のＬＥＤディスプレイ時計は、時間表示部の中心を基準にしてその周りに沿って時間表示スケールが配列された時計に比べてさらに確実に時間を把握することが困難である。
【０００７】
また、従来のＬＥＤ時計は、美的感覚だけを強調したあげく、時計で付加され得る日付入力、アラーム機能、タイマー機能、地域時刻表示機能などを行うことができないので、洗練された美しさと共に多様な機能を確保しようとする需要者の期待に応えなかった。従来の商品化されたＬＥＤ時計は、バッテリー交替時ごとに時間セッティングを新しくしなければならない問題点をも持っていた。
また、スケジュールを管理することができるように予定時刻を設定入力したり、現在時刻から予定された特定時刻までの残余時間や残余日を表示する機能を備えていないので、時計を利用した効率的なスケジュール管理を図ることができず、しかも、約束時間による場所や相手方に対する情報入力が不可能であった。
【発明の開示】
【発明が解決しようとする課題】
【０００８】
本発明の目的は、前述した従来技術の問題点を解決するためのＬＥＤディスプレイ時計を提供することにある。
本発明の他の目的は、現在時刻のみならず、特定時刻からの経過時間と特定時間までの残余時間を容易で且つ迅速に把握することができるようにし、さらに洗練されたＬＥＤディスプレイデジタル時計を具現することにある。
本発明のさらに他の目的は、１つまたは多数の予定日／予定時刻を設定入力することができるようにし、それによる１つまたは多数の残余日／残余時間情報をＬＥＤで構成された時間表示スケールで表示されるようにして、洗練され、且つ迅速なスケジュール管理が可能なＬＥＤデジタル時計を具現することにある。また、予定場所または相手方情報をも設定入力することができ、効率的なスケジュール管理を可能にするＬＥＤデジタル時計を具現することにある。
本発明のさらに他の目的は、日付入力、アラーム機能、タイマー機能、地域時刻表示機能など多様な機能の設定入力が容易であり、その機能の具現が可能であり、バッテリー交代時に新しく時間セッティングをする必要がなく、ＬＥＤを使用しても電力消耗が少ないＬＥＤデジタル時計を具現することにある。
【課題を解決するための手段】
【０００９】
上記目的を達成するために、本発明は、入力部、制御部及び時間表示部を備えてなるデジタル時計において、２個乃至４個のボタン式で構成され、時間表示部の周り、時計の側面または時計バンド上に設けられ、現在時刻、日付情報、アラーム時刻、タイマー、地域時刻の一部または全部を設定入力する入力部と、メモリ、ＣＰＵ及びリアルタイム時計（ＲＴＣ）に補助電源を供給する補助電源装置と、前記実時間時計から得られた時間情報と前記入力部から得られた時間情報がＣＰＵを通じて総合されて格納されるメモリと、前記リアルタイム時計から伝達された時間情報、前記入力部から伝達された時間情報、前記メモリに格納された情報から得られた時間情報及び時間表示部からフィードバックされた時間情報を総合し、総合された時間情報を含む制御信号を発生させて時間表示部に時間情報を伝送して制御するＣＰＵとを含む制御部と、午前／午後、アラーム、タイマー、地域時刻識別部の一部または全部を含み、１２時間を示すことができるように時間表示部の中心の周りに１２個のＬＥＤで構成された時表示スケールと、前記時表示スケールの外郭に前記と同一中心に５９個または６０個のＬＥＤで構成された分表示スケールと、６０秒を示すことができるように、前記分表示スケールの外郭に前記と同一中心に５９個または６０個のＬＥＤで構成された秒表示スケールとを含み、前記時、分、秒の時間表示スケールは、時間把握が容易になるように大きさ、形状または色相の一部または全部が異なり、また、前記ＬＥＤが前記制御部から伝達された時間情報によって時計方向に順次に点滅または累進的に点灯されるようにして時間の流れを示す時間表示部と、を備えてなることを特徴とするデジタル時計に関する。
【００１０】
入力部が２個のボタンで構成される場合、１個のボタンは、設定、入力または確認、及びタイマー停止機能をし、残りの１個は、方向移動及びタイマー開始機能をするようにすることができ、３個または４個の場合には、現在時刻、日付情報、アラーム時刻、タイマー、地域時刻のうち一部の設定及び確認を担当するボタンを指定することもできるので、さらに多様で且つ便利にボタン操作をすることができる。
【００１１】
補助電源装置は、主電源供給装置となるバッテリーがすべて消耗されて交替しなければならない場合に、メモリ、ＲＴＣ、ＣＰＵ及び時間表示部の一部構成に補助電源を供給するようにして、バッテリー交替後に、さらに時間をセッティングする必要がないようにし、主電源供給装置であるバッテリーがすべて消耗されても、所定の時間の間に時計が作動することができるようにしたものである。
【００１２】
リアルタイム時計（ＲＴＣ）は、所定の時間間隔のパルスを発生させてＣＰＵに時間情報を提供するようになる。
【００１３】
制御部は、前記入力部を用いたアラーム時刻、タイマー、または地域時刻の設定入力によって設定されたアラーム時刻時点に音または振動で設定された時刻であることを表示することができるように制御するか、タイマー機能を有するようにするか、または地域による時差に合うように地域時刻が前記時間表示部に表示されるように制御することを含むことができる。
【００１４】
時間表示部に午前／午後、アラーム、タイマー、地域時刻識別部の一部または全部をＬＥＤを通じて点灯状態で示すか、ＬＣＤ窓を具備して示すことができるので、その状態の設定可否などの識別が容易になる。
【００１５】
ＬＥＤで構成された時間表示スケールは、バー形状や、円形形状、正四角形形状など様々なものにすることができ、また、大きさと色相なども多様にすることができる。
【００１６】
時間表示スケールは、時間の進行によって時間情報を把握するのに一層容易になるように、累進的に点灯状態になるようにして現在時刻を示すことができ、または、これとは異なってＬＥＤでの電力消費を低減することができるようにするために、以前時刻を示す各時、分、秒スケールが消灯され、次のスケールが点灯される方式で順次に点滅するようにして時刻を表示することができる。
【００１７】
分または秒表示スケールは、６０個からなる場合には、６０番目スケールの点灯後に、１秒または１分経過時に既存の分または秒表示点灯状態のスケールが消灯され、１番目スケールが点灯されるように構成され、５９個からなる場合には、５９番目スケールの点灯後に、１秒または１分経過時に既存の分または秒表示の点灯状態のスケールが消灯され、さらに１秒または１分経過時に１番目スケールが点灯されるように構成され、５９個または６０個のいずれの場合にも、６０秒または６０分経過と同時に、上位時間表示スケールで次のスケールが点灯されるように構成される。すなわち、６０個のスケールを使用する場合には、６０番目スケールの点灯と同時に、上位時間表示スケールのうち次の順次のスケールが点灯されるが、５９個のスケールを使用する場合には、５９番目スケールが消灯されると同時に、上位時間表示スケールのうち次の順次のスケールが点灯されるようになる。
【００１８】
本発明において、前記時間表示部は、時間表示部の中心に曜日を示すことができる６個または７個のＬＥＤで構成された曜日表示スケールをさらに含むことができ、前記分表示スケールは、１２方位に分けられ、各方位内で層を成し、５分または分表示スケールが５９個である場合、最後の１２番目方位内では４分を示すように放射状に配列され、前記分表示スケールは、各方位内では時間情報によって外側方向に順次に点滅または累進的に点灯されるようにして時間の流れを示すことができる。
【００１９】
一方、前記時間表示部は、時間表示部の中心に曜日を示すことができる６個または７個のＬＥＤで構成された曜日表示スケールをさらに含むことができ、前記時間表示スケールは、同一中心に所定の角度でバースケールで構成されることができ、前記分または秒表示バースケールは、５分または５秒単位スケール及び残りのスケール色と異なる色を有することができる。
【００２０】
前記曜日または時、分、秒表示スケールは、同一中心に円形、六角形、１２角形、四角形、半円、上端または下端の一部が開口された円形など様々な図形を外形にする多様な形状に配列されることができる。
【００２１】
曜日を示すＬＥＤスケールが７個である場合には、各曜日を示すことができ、６個である場合には、日曜日は全部が消灯状態の場合で表示することができる。
【００２２】
曜日または時間表示スケールは、同一中心に対して所定の角度で細いバー形状のバースケールで配列されることができる。この場合、時間進行の様子が整頓された形態で美しくて且つさらに洗練に見えることができる。
【００２３】
分表示スケールは、時表示スケールと同じ中心に対して所定の角度で配列されることもでき、それとは異なって１２方位に等分して各方位当たり５分を示す５個のスケールが、または分表示スケールが５９個である場合、最後の１２番目では４分を示す４個のスケールが、外側に伸びるように放射状に配列することもできる。１２方位に分けて配列することが、分表示スケールの全部を一定の間隔で配列することより５分あるいは１０分単位の区分が明確になり、現在時刻での分を示す値を容易で且つ正確に把握することができるようになる。
【００２４】
一方、分または秒表示バースケールのうち５分または５秒単位のスケールは、残りの分または秒表示スケールと異なる発光色を有するＬＥＤで構成されるか、ＬＥＤ上部カバーの色を異にすることで、５分または５秒単位で区分され、さらに容易で且つ迅速正確に時間を把握することができるようになる。
【００２５】
本発明において、前記時間表示部は、前記時間表示部の中心または時計前面部のうち最外郭時間表示スケールの下部にＬＣＤ窓を備えてなることができ、前記ＬＣＤ窓は、前記補助電源装置によって補助電源を供給され、前記入力部を通じて設定入力される時間または日付情報を示すことができ、また、前記午前／午後、アラーム、タイマー、地域時刻識別部の一部または全部を含んで示すことができる。
【００２６】
ＬＣＤ窓を備えることで、入力部での入力状態や多様な識別部の状態を容易に確認することができるようにして、ＬＣＤ窓に補助電源を供給することで、ＬＣＤ窓に表示される多様な識別表示に示された情報がバッテリー交換時などの場合にもＣＰＵにフィードバックされるようにするためのものである。
【００２７】
ＬＣＤ窓には、機能ＯＦＦの識別部を有し、入力部の設定入力によって秒表示スケールの作動ＯＦＦまたは他の時間表示部の表示状態の一部を作動ＯＦＦ状態に維持することができる。そのほか、他の機能の設定入力を含むことができ、このような機能の状態がＬＣＤ窓で表現されることができる。
【００２８】
本発明において、前記時間表示部の曜日または時間表示スケールが表示されたスケール板の裏面にスケールとスケールの間に光の広がりを遮断するブロックが形成されるようにすることができる。
【００２９】
前記入力部のボタンは、１つまたは複数の予定日または予定時刻を設定入力することができ、予定日または予定時刻までの残余日／残余時間を確認するボタンを含むことができ、前記制御部は、前記入力部が残余日／残余時間を確認する場合に、前記リアルタイム時計と前記メモリから伝達された時間情報によって変わる現在日または現在時刻から１つまたは複数の予定日または予定時刻までの１つまたは複数の残余日／残余時間の情報を前記時間表示部に示すように制御することができ、また、前記時間表示部は、残余日／残余時間識別部をさらに備えることができ、前記時間表示部に残余時間として表示される場合、前記時間表示スケールは、前記制御部からの１つまたは複数の残余時間情報によって現在時刻進行方向の反対に順次に点滅または消灯されるようにして１つまたは複数の残余時間を示すことができ、一方、前記時間表示部に残余日として表示される場合には、前記制御部からの制御によって前記時表示スケールは残余月数を示し、前記１２方位の放射状に配列された分表示スケールは、前記時間表示部を中心に６方位に区分され、前記各方位内では内側から外側方向にスケール２個ずつ集められた５個の各層が残余日数を示すか、前記時間表示部を中心に所定の角度で配列された分表示スケールの場合には、２個スケール当たり残余日１日を示し、また、１つまたは複数の残余日の経過によって現在時刻進行方向の反対に順次に点滅または消灯されるようにして１つまたは複数の残余日数を示すことができ、また、前記時間表示部の前記ＬＣＤ窓は、前記入力部を通じて入力される１つまたは複数の予定日または予定時刻を示すことができ、予定機能設定及び残余日／残余時間識別部を含むことができる。
【００３０】
残余日／残余時間を確認する入力設定がなされた場合、残余日／残余時間は、前記現在時刻の流れを表示することと反対方向に表示される。すなわち、現在基準の残余日または残余時間から現在時刻進行方向の反対に点滅または消灯され、特に残余時間を示す場合において、前記１２方位の放射状に配列された分表示スケールの場合は、前記１２方位の各方位内では外側から内側に順次に点滅または消灯され、残余日を示す場合において、１２方位の放射状に配列された分表示スケールを前記６方位に区分する場合は、各５日ごとに前記各方位内で外側から内側に点滅または消灯されるように表示される。
【００３１】
残余日として表示される場合においては、１２個の時表示スケールは、残余月数を示すことができ、５９個または６０個の分表示スケールは、スケール２個当たり残余日１日を示すことができ、特に１２方位の放射状に配列された分表示スケールの場合には、６方位に分けられて各方位別に２個のスケールが集められた５個の層が各層別に１日ずつを示すようにして、残余日数は最大３０日まで表現可能であり、それ以上の場合は、逆算法によって残余月数と残余日数で表現されることができる。
【００３２】
残余日／残余時間の表示は、予定日／予定時刻から現在日／現在時刻を差し引いた時刻が１２時間または２４時間以上の場合には、自動で時間表示部が残余日を表示する状態に制御されることができるか、または、残余日／残余時間識別部の確認を通じて残余日または残余時間を表示する状態に制御されることができる。残余日または残余時間で表示されるようにする制御基準は、あらかじめ定められるか、またはユーザの設定入力を通じて定められることができる。残余時間が１２時間以上且つ２４時間未満の場合であって、残余日／残余時間表示制御基準が２４時間である場合には、午前／午後識別部の午後を示す識別部が点灯または表示された状態になり、残余時間から１２時間を差し引いた残りの時間だけが時間表示スケールに表示されることができる。
【００３３】
複数の予定日／予定時刻が入力された場合、予定機能設定識別部には、その個数が表示されることができ、この場合、残余日／残余時間確認を設定入力すれば、前記表示スケールが累進的な状態で残余日／残余時間を表示せず、それに該当するスケールだけが複数個でそれぞれ点灯され、時間の経過によって現在時刻進行方向の反対に順次に点滅される状態で示されることができる。
【００３４】
１２時間または２４時間未満の複数の残余時間を表示する場合、残余時間が表示される時間表示スケールのうち同一内容の残余時間を表示する時及び分表示スケール同士の点灯状態を異に示し、例えば、点灯された状態であるか、きらめく状態で、またはきらめく時間間隔を異に示すことによって、複数の残余時間の確認を可能にすることができ、この場合、秒表示スケールは、ＯＦＦ状態にあるようにすることが好ましい。
【００３５】
多数の残余日が表示される場合に、同一内容を示す月数と残余日数のスケール同士前述のような方法で表示されることができ、複数の残余日が全部３０日以内の場合には、きらめくことがない多数の点灯状態だけで示すこともできる。
【００３６】
時間表示部のスケールが残余日／残余時間を表示する場合、ＬＣＤ窓は、現在時刻の情報を表示することができ、その反対にＬＣＤ窓では、残余日／残余時間情報を表示し、時間表示部のスケールは、現在時刻を表示するように設定することもできる。
【００３７】
本発明において、前記入力部は、予定場所または相手方情報を設定入力するボタンをさらに備えることができ、前記時間表示部の前記ＬＣＤ窓は、前記入力部を通じて入力される１つまたは複数の予定場所または相手方情報を示すことができる。
【００３８】
入力部のボタンが２個である場合には、子音及び母音がメモリ上に格納されていて、方向移動機能と設定及び入力機能をもって予定場所または相手方情報を入力することができ、ボタンの数字が増加するほどそれぞれのボタン自体に固有の子音及び母音が割り当てられるようにして容易に入力されることができる。ボタンが多すぎれば、洗練された形状が得られないので、子音を表示するための３個ボタンと、天、地及び人に相当する母音を表示するための３個のボタンを具備すれば、場所入力をするのにあたって適切な数のボタンになることができる。
【００３９】
本発明は、入力部、制御部及び時間表示部を備えてなるデジタル時計の時間表示方法において、前記入力部が、現在時刻、アラーム時刻、タイマー、地域時刻の一部または全部を設定したり入力する入力段階と、前記制御部のメモリで前記ＣＰＵを通じてリアルタイム時計（ＲＴＣ）から得られた時間情報と前記入力部から得られた時間情報が総合されて格納され、前記メモリからフィードバックされた時間情報、リアルタイム時計（ＲＴＣ）から伝達された時間情報、前記入力部から伝達された時間情報及び時間表示部からフィードバックされた時間情報を前記ＣＰＵで総合し、前記ＣＰＵで総合された時間情報を含む制御信号を発生させて時間表示部に時間情報を伝達して制御する制御段階と、前記時間表示部が午前／午後に識別表示され、時間表示スケールを構成するＬＥＤが前記制御部から伝達された変わる時間情報によって現在時刻を時計方向に順次に点滅または累進的に点灯されるようにして現在時間情報を表示する現在時刻表示段階と、を含むことを特徴とする時間表示方法に関する。
【００４０】
前記分表示スケールが１２方位の放射状に配列され、各方位別に５分ずつ示すように構成された場合、前記分表示スケールを構成するＬＥＤは、各方位内では内側から外側に順次に点滅または累進的に点灯されるようにして現在時間情報を表示することができる。
【００４１】
前記時間表示部は、曜日表示スケールを構成するＬＥＤが前記制御部から伝達される時間情報による日付が変わるにしたがって順次に点滅されるようにして７個または６個の曜日表示スケールを備え、現在の曜日を表示する曜日表示段階をさらに含むことができ、６個のスケールが設けられた場合には、全体が消灯された状態を日曜日として表示することができる。
【００４２】
本発明は、前記入力部が１つまたは多数の予定日、予定時刻、予定場所または相手方情報を設定入力するスケジュール入力段階と、前記入力部が前記予定日または予定時刻を設定入力した後に、残余日／残余時間を確認することができるようにする残余日／残余時間確認段階と、前記制御部が、前記スケジュール入力段階完了と同時に、前記リアルタイム時計から伝達された時間情報によって変わる現在時刻から１つまたは多数の予定日または予定時刻までの残余日／残余時間を計算するスケジュール計算段階と、前記制御部が、前記入力部が残余日／残余時間を確認する場合、前記計算された１つまたは多数の残余日／残余時間情報によってそれらのうち残余時間が１２時間または２４時間未満の場合のみに、前記時間表示部に時間表示スケールによって残余時間が表示されるように制御し、残余時間が１２時間または２４時間以上の場合のみに、前記時間表示部に表示スケールによって残余日が表示されるように制御するスケジュール制御段階と、前記時間表示部が、前記入力部が残余時間を確認する場合、前記時間表示スケールを構成するＬＥＤが前記制御部から伝達された変わる１つまたは多数の残余時間によって現在時刻進行方向の反対に順次に点滅または消灯されるようにして１つまたは多数の残余時間情報を表示する残余時間表示段階と、前記時間表示部が、前記入力部が残余日を確認する場合に、前記時表示スケールは残余月数を示し、前記分表示スケールは２個のスケール当たり残余日１日を示すか、前記１２方位の放射状に配列された分表示スケールは前記時間表示部を中心に６方位に区分され、前記各方位内では外側から内側方向にスケール２個ずつ集められた５個の各層が残余日数を示し、また、１つまたは複数の残余日の経過によって現在時刻進行方向の反対に順次に点滅または消灯されるようにして１つまたは多数の残余日情報を表示する残余日表示段階と、をさらに含むことができる。
【発明を実施するための最良の形態】
【００４３】
本発明の好ましい実施例を添付図面を参照して説明する。
図３は、本発明の一実施例に係るＬＥＤディスプレイ時計の時間表示部を示す平面図である。
時間表示部３０は、その中心にＬＣＤ窓４０と、その周りの近くに所定の角度で配列された１２個の時表示スケール３１と、同一中心に前記スケールの外郭に所定の角度で配列された６０個の分表示スケール３２及び前記分表示スケールの外郭に所定の角度で配列された６０個の秒表示スケール３２で構成され、時間表示スケールは、ＬＥＤバースケールで表示されることができる。図３では、現在時刻が７時１４分５３秒として表示され、ＬＣＤ窓４０に２４日の日付が表示されている。
【００４４】
分及び秒の時間情報を容易で且つ迅速に把握することができるように５分単位スケール３２ａ及び５秒単位スケール３３ａは、残りの分または秒表示スケールと発光色が異なるＬＥＤで構成されるか、または、ＬＥＤの上部に異なる色のクリスタルなどのカバーで色を異にするように構成されることができる。
【００４５】
図４Ａは、本発明の他の実施例に係るＬＥＤディスプレイ時計の時間表示部の平面図を示す。
時間表示部３０ａ、３０ｂは、その中心にＬＣＤ窓４０を備えており、その中心から最も近い周りに一定の間隔で配列され、月曜日から土曜日までを示す６個の曜日表示スケール３４と、前記曜日表示スケール３４の外郭の周りに一定の間隔で配列された１２個の時表示スケール３１と、前記時表示スケール３１の外郭の周りに２方位に分けられて各方位別に５個の層を成して５分単位別に容易に区分することができるようにして全体的に６０分を示す６０個の分表示スケール３２と、前記分表示スケール３２の外郭の周りに秒を示すように一定の間隔で配列された６０個の秒表示スケール３３とで構成されている。
【００４６】
前記曜日表示スケール３４及び時間表示スケール３１、３２、３３は、ＬＥＤで構成され、点灯状態によって現在時刻を示す。図４Ａでは、曜日表示スケール３４の全てが点灯されていない状態なので、日曜日を示す。
【００４７】
また、例えば、７時１４分５３秒の現在時刻を示す時間表示部３０ａ、３０ｂの点灯状態は、時、分、秒表示スケール３１、３２、３３が累進的に点灯３５ａされた状態の時間表示部３０ａであることもでき、現在時刻に該当する時、分、秒表示スケールだけが点灯された状態の時間表示部３０ｂであることもできる。分表示スケール３２は、時または秒表示スケールとは異なって１２方位に分け、各方位別に５分ずつを示すようにすることが、ユーザが非常に容易で且つ正確に時刻を把握することができる。また、１０分ずつ、すなわち２方位ずつ境界を有する場合には、さらに効果的な時間把握が可能になる。一方、現在時刻を累進的でなく、該当時刻だけが点灯されるように表現する時間表示部３０ｂの場合には、ＬＥＤの点灯数字が減少するようになり、相対的に非常に低い電力が消費される。図示してはいないが、時間表示部３０ａ、３０ｂの形状は、四角形、六角形などの多様な形状を有することができる。
【００４８】
図４Ｂは、本発明の一実施例に係るＬＥＤディスプレイ時計の時間表示部の中心部にあるＬＣＤ窓４０の平面図である。
前記ＬＣＤ窓４０では、午前／午後識別部４１、タイマー設定識別部４２、アラーム設定識別部４３、予定日／予定時刻設定識別部４４、残余日／残余時間識別部４５、地域時刻設定識別部４６、ＯＦＦ機能識別部４７、及び入力状況板／時間表示板４８などが表示されることができる。
【００４９】
前記識別部の表示または入力状況板／時間表示板４８の表示は、図５の設定入力ボタン１０によって設定入力されるか、または、制御部の制御によってＬＣＤ窓４０に表示されるようになる。前記識別部の表示に色相表示がある場合に、そのモードに設定されたことを示すことができ、設定されていない識別モードは、ＬＣＤ窓４０に示されないこともあり得る。
【００５０】
ＯＦＦ機能識別部４７は、前記設定入力ボタン１０の設定入力によって本発明の一部機能をユーザがＯＦＦモードに変えたという表示を示し、前記設定入力ボタン１０では、ＯＦＦ機能を設定入力することができる。例えば、秒表示スケールの状態をＯＦＦに設定することができ、そのほか、他の機能や表示状態をＯＦＦ状態に調整することができる。図４Ｃに示されたように、ＬＣＤ窓４０のように設定入力によって前記識別部の一部だけがＬＣＤ窓に表示されることができる。予定場所入力など上記で言及されない多い機能がＬＣＤ窓に表示されることができる。
【００５１】
図４Ｃは、本発明の一実施例に係るＬＥＤディスプレイ時計において残余日／残余時間を表示する時間表示部を示す。
例えば、残余時間を示す場合、時間表示部３０ｃの時間表示スケール３１、３２、３３は、現在時刻を示す時間表示スケールと同一のスケールが同一の時間表示機能をするが、但し、制御部の制御によって点灯状態の進行方向が現在時刻進行と反対方向になり、分表示スケール３２の場合には、１２方位の各方位内では外側から内側に順次に消灯されるように表示されることができる。例えば、入力状況板／時間表示板４８に表示された現在時刻が０７時１４分５３秒であり、予定時刻（スケジュール）が同日１２時ちょうどなら残余時間が４時間４５分７秒であることを示している。図示してはいないが、残余時刻に該当する時、分、秒表示スケールが制御情報によって現在時刻進行方向の反対に順次に点滅されるようにすることもできる。
【００５２】
また、残余日を示す場合の時間表示部３０ｄでは、制御部の制御によって現在時刻を示す時間表示スケールは残余月数と残余日数を示すスケールになる。すなわち、時表示スケール３１は、残余月数を示すスケール３１ｂに変わり、分表示スケール３２は、残余日数を示すスケール３２ｂに変わるようになる。この場合、既存の秒表示スケールは、消灯状態になることが好ましい。残余日数を示すスケール３２ｂは、６方位に分けられ、各方位内では２個のスケール当たり１層ずつ全部５層からなることができ、同一方位内での同じ層にある２個のスケールが残余日数の変化によって同時に点灯または消灯されるようにし、制御部からの残余時間情報による残余日数の減少によって各方位内で外側から内側に層別に順次に点滅または消灯され、６方位全体では、５日ずつ減少するにしたがって現在時刻進行方向の反対に進行されるようにする。残余日数７日が残余時間表示部３０ｄに示される。図示してはいないが、月数及び日数表示スケール３１ｂ、３２ｂは、累進的ではなく、該当月または日に対応する表示スケールだけが点灯された状態で表示されることができ、この場合、複数の残余日の表示が可能になる。残余日／残余時間を示す場合、分表示スケールが６方位に分けられ、各方位内で層別に２個のスケールずつ点灯または消灯されることが分かり、また、ＬＣＤ窓４０に残余日／残余期間確認状態であることを示す識別部４５、例えば、‘ＲＥＳ’の表示４５が示されているか否かをチェックすることによって、現在時刻を示すか否かを容易に把握することができる。または、ＬＣＤ窓４０の入力状況板／時間表示板４８に表示された現在時刻と時間表示スケールが示す時間が異なる場合に、時間表示スケールの表示を残余日／残余時間の表示として認識することができる。
【００５３】
図５は、本発明の一実施例に係るＬＥＤディスプレイ腕時計の斜視図を示す。
時間表示部の周りに入力部１０を有しており、４個のボタンが示されている。例えば、左側下部のボタン１０ａは、モードを設定するボタンであることができ、右側下部のボタン１０ｂは、選択されたモードを確認または入力するボタンであることができ、上部の２個ボタン１０ｃ、１０ｄは、それぞれ方向移動ボタンであることができ、または、各ボタン１０ａ、１０ｂ、１０ｃ、１０ｄは、文字入力などの他の機能を有することもできる。
【００５４】
図６Ａ及び図６Ｂは、本発明の一実施例に係るＬＥＤディスプレイ置き時計の斜視図である。
本発明によるＬＥＤディスプレイ時計は、図６Ａ、図６Ｂの置き時計に利用されることができ、図示してはいないが、そのほか、掛け時計など多様な形態の時計で具現されることができる。
【００５５】
時間表示部３０は、図６Ｂに示されたように、下端の一部が開口された円形形状であってもよく、この場合、時間表示スケール３１、３２、３３は、左側下部から各時、分、秒が始まり、右側下部から各１２時または２４時、６０分、６０秒になるようにすることができる。また、時間表示部３０の下端にＬＣＤ窓４０が位置することができ、図６Ｂのように、日付情報（例えば２４日を示す）を示すことができる。
【００５６】
図７は、本発明の一実施例に係るＬＥＤディスプレイ時計のシステムを示す。
制御部２０は、ＣＰＵ２１、メモリ２２、補助電源装置２３、ＲＴＣ２４を備えて構成され、ＣＰＵ２１は、メモリ２２から伝達された格納された時間情報、ＲＴＣ２４から伝達されたリアルタイム間隔情報、入力部１０から設定入力された時間情報、及び時間表示部３０からフィードバックされた時間情報を総合して制御し、時間表示部３０は、制御部２０から受けた時間情報を表示し、入力部１０は、初期設定時または時間変更時の現在時刻、日付情報、アラーム時刻、タイマー、地域時刻、予定日／予定時刻、残余日／残余時刻などが設定入力されるか、確認設定されることができるようにする。
【産業上の利用可能性】
【００５７】
以上説明したように、本発明において、分表示、秒表示のスケールをさらに容易で且つ迅速に把握することができ、従来のＬＥＤ時計より容易で且つ迅速正確な時間把握が可能である。
【００５８】
本発明によれば、特定時刻からの経過時間と特定時間までの残余時間を容易で且つ迅速に把握することができ、美的な面でも一層洗練されたＬＥＤディスプレイデジタル時計を具現することができるようになる。
【００５９】
また、本発明によれば、１つまたは多数の予定日／予定時刻を設定入力することができ、それによる１つまたは多数の残余日／残余時間情報をＬＥＤで構成された時間表示スケールに表示されるようにして、洗練され且つ迅速なスケジュール管理の可能なＬＥＤデジタル時計を具現することができる。本発明において、同時に多数の残余日／残余時間の確認が可能なので、効率的で且つ総合的なスケジュール管理において革新的な効果を得ることができる。また、予定場所または相手方情報をも設定入力することができるので、効率的なスケジュール管理が可能である。
【００６０】
本発明のさらに他の効果としては、日付入力、アラーム機能、タイマー機能、地域時刻表示機能など多様な機能の設定入力が容易であり、その機能の具現が可能であり、バッテリー交替時に新しく時間セッティングをする必要がなく、ＬＥＤを使用しても、電力消耗が少ないＬＥＤデジタル時計を具現することができる。
【図面の簡単な説明】
【００６１】
【図１】従来のＬＣＤデジタル時計の平面図である。
【図２Ａ】韓国特許公開第１０−２００３−００４０２４７号公報に開示された二重ファッション時計のＬＥＤディスプレイ部の平面図である。
【図２Ｂ】韓国特許公開第１０−２００３−００４０２４７号公報に開示された二重ファッション時計のＬＥＤディスプレイ部の平面図である。
【図３】本発明の一実施例に係るＬＥＤディスプレイ時計の時間表示部の平面図である。
【図４Ａ】本発明の他の実施例に係るＬＥＤディスプレイ時計の時間表示部の平面図である。
【図４Ｂ】本発明の一実施例に係るＬＥＤディスプレイ時計の中心に備えられたＬＣＤ窓の平面図である。
【図４Ｃ】本発明の他の実施例に係るＬＥＤディスプレイ時計の残余時間表示状態を示す平面図である。
【図５】本発明の一実施例に係るＬＥＤディスプレイ腕時計の斜視図である。
【図６Ａ】本発明の一実施例に係るＬＥＤディスプレイ置き時計の斜視図である。
【図６Ｂ】本発明の一実施例に係るＬＥＤディスプレイ置き時計の斜視図である。
【図７】本発明の一実施例に係るＬＥＤディスプレイ時計のシステム図である。
【図１】
2009541772.tif 000003
【図２Ａ】
2009541772.tif 000004
【図２Ｂ】
2009541772.tif 000005
【図３】
2009541772.tif 000006
【図４Ａ】
2009541772.tif 000007
【図４Ｂ】
2009541772.tif 000008
【図４Ｃ】
2009541772.tif 000009
【図５】
2009541772.tif 000010
【図６Ａ】
2009541772.tif 000011
【図６Ｂ】
2009541772.tif 000012
【図７】
2009541772.tif 000013
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
入力部、制御部及び時間表示部を備えてなるデジタル時計において、
２個乃至４個のボタン式で構成され、時間表示部の周り、時計の側面または時計バンド上に設けられ、現在時刻、日付情報、アラーム時刻、タイマー、地域時刻の一部または全部を設定入力する入力部と、
メモリ、ＣＰＵ及びリアルタイム時計（ＲＴＣ）に補助電源を供給する補助電源装置と、前記リアルタイム時計から得られた時間情報と前記入力部から得られた時間情報がＣＰＵを通じて総合されて格納されるメモリと、前記リアルタイム時計から伝達された時間情報、前記入力部から伝達された時間情報、前記メモリに格納された情報から得られた時間情報及び時間表示部からフィードバックされた時間情報を総合し、総合された時間情報を含む制御信号を発生させて時間表示部に時間情報を伝送して制御するＣＰＵとを含む制御部と、
午前／午後、アラーム、タイマー、地域時刻識別部の一部または全部を含み、時間表示部中心の周りに１２個のＬＥＤで構成された時表示スケールと、前記時表示スケールの外郭に前記時表示スケールと同一中心に５９個または６０個のＬＥＤで構成された分表示スケールと、前記分表示スケールの外郭に前記時表示スケールと同一中心に５９個または６０個のＬＥＤで構成された秒表示スケールとを含み、前記時、分、秒の時間表示スケールは、大きさ、形状または色相の一部または全部が異なり、また、前記ＬＥＤは、前記制御部から伝達された時間情報によって時計方向に順次に点滅または累進的に点灯されるようにして時間の流れを示す時間表示部と、を備えてなり、
前記入力部は、予定日または予定時刻を設定入力し、予定日または予定時刻までの残余日／残余時間を確認するボタンを含み、
前記制御部は、前記入力部が残余日／残余時間を確認する場合に、前記実時間時計と前記メモリから伝達された時間情報によって変わる現在日または現在の時刻から予定日または予定時刻までの残余日／残余時間の情報を前記時間表示部に示すように制御することを特徴とするデジタル時計。
【請求項２】
前記時間表示部は、前記時間表示部の中心に６個または７個のＬＥＤで構成された曜日表示スケールをさらに含み、前記分表示スケールは、１２方位に分けられて各方位内で層を成し、前記分表示スケールが５９個である場合、最後の１２番目方位内では４分を示すように放射状に配列され、前記分表示スケールは、各方位内では時間情報によって外側方向に順次に点滅または累進的に点灯されるようにして時間の流れを示すことを特徴とする請求項１に記載のデジタル時計。
【請求項３】
前記時間表示部は、前記時間表示部の中心に６個または７個のＬＥＤで構成された曜日表示スケールをさらに含み、前記時間表示スケールは、同一中心に所定の角度でバースケールで構成され、前記分または秒表示スケールのうち、５分または５秒単位スケールは、残りのスケールと異なる色を有することを特徴とする請求項１に記載のデジタル時計。
【請求項４】
前記時間表示部は、前記時間表示部の中心または下端にＬＣＤ窓を備えてなり、
前記ＬＣＤ窓は、前記補助電源装置によって補助電源を供給され、前記入力部を通じて設定入力される時間または日付情報を示し、前記午前／午後、アラーム、タイマー、地域時刻識別部の一部または全部を含んで示すことを特徴とする 請求項１乃至３のいずれかに記載のデジタル時計。
【請求項５】
前記時間表示部の前記曜日または時間表示スケールが表示されたスケール板の裏面にスケールとスケールの間に光の広がりを遮断するブロックが形成されていることを特徴とする請求項４に記載のデジタル時計。
【請求項６】
前記時間表示部は、前記時間表示部に残余時間として表示される場合、前記時間表示スケールは、前記制御部からの残余時間情報によって現在時刻進行方向の反対に順次に点滅または消灯されるようにして残余時間を示し、一方、前記時間表示部に残余日として表示される場合に、前記時表示スケールは、残余月数を示し、６０個のＬＥＤが１２方位の放射状に配列された前記分表示スケールは、前記時間表示部を中心に６方位に区分され、前記各方位内では、内側から外側方向にＬＥＤ２個ずつ集められた５個の各層が残余日数を示すか、前記時間表示部を中心に６０個のＬＥＤが所定の角度で配列された前記分表示スケールの場合には、ＬＥＤ２個当たり残余日１日を示し、また、残余日の経過によって現在時刻進行方向の反対に点滅または消灯されるようにして残余日数を示し、
前記時間表示部の前記ＬＣＤ窓は、前記入力部を通じて入力される予定日または予定時刻を示し、予定機能設定及び残余日／残余時間確認状態識別部を含むことを特徴とする請求項５に記載のデジタル時計。
【請求項７】
前記入力部は、予定場所または相手方情報を設定入力するボタンをさらに備え、
前記時間表示部の前記ＬＣＤ窓は、前記入力部を通じて入力される１つまたは複数の予定場所または相手方情報を示すことを特徴とする請求項６に記載のデジタル時計。
【請求項８】
入力部、制御部及び時間表示部を備えてなるデジタル時計の時間表示方法において、
前記入力部が、現在時刻、アラーム時刻、タイマー、地域時刻の一部または全部を設定したり入力する入力段階と、
前記制御部のメモリで前記ＣＰＵを通じてリアルタイム時計（ＲＴＣ）から得られた時間情報と前記入力部から得られた時間情報が総合されて格納され、前記メモリからフィードバックされた時間情報、リアルタイム時計（ＲＴＣ）から伝達された時間情報、前記入力部から伝達された時間情報及び前記時間表示部からフィードバックされた時間情報を前記ＣＰＵで総合し、前記ＣＰＵで総合された時間情報を含む制御信号を発生させて前記時間表示部に時間情報を伝達して制御する制御段階と、
前記時間表示部が午前／午後に識別表示され、時、分、秒の時間表示スケールを構成するＬＥＤが前記制御部から伝達された変わる時間情報によって現在時刻を時計方向に順次に点滅または累進的に点灯されるようにして現在時間情報を表示する現在時刻表示段階と、
前記入力部が、予定日、予定時刻、予定場所または相手方情報を設定入力するスケジュール入力段階と、
前記入力部は、前記予定日または予定時刻を設定入力した後に、残余日／残余時間を確認することができるようにする残余日／残余時間確認段階と、
前記制御部は、前記スケジュール入力段階完了と同時に、前記リアルタイム時計から伝達された時間情報によって変わる現在時刻から予定日または予定時刻までの残余日／残余時間を計算するスケジュール計算段階と、
前記制御部は、前記入力部が残余日／残余時間を確認する場合、前記計算された残余日／残余時間情報によって残余時間が１２時間または２４時間未満の場合にのみ、前記時間表示部に時間表示スケールによって残余時間が表示されるように制御し、残余時間が１２時間または２４時間以上の場合にのみ、前記時間表示部に表示スケールによって残余日が表示されるように制御するスケジュール制御段階と、
前記時間表示部は、前記入力部が残余時間を確認する場合、前記時間表示スケールを構成するＬＥＤが前記制御部から伝達された残余時間によって現在時刻進行方向の反対に順次に点滅または消灯されるようにして残余時間情報を表示する残余時間表示段階と、
を含むことを特徴とする時間表示方法。
【請求項９】
前記分表示スケールが、６０個のＬＥＤが１２方位の放射状に配列され、各方位別に５分ずつを示すように構成され、前記分表示スケールを構成するＬＥＤは、各方位内では内側から外側に順次に点滅または累進的に点灯されるようにして現在時間情報を表示することを特徴とする請求項８に記載の時間表示方法。
【請求項１０】
前記時間表示部は、前記入力部が残余日を確認する場合、１２個のＬＥＤからなる前記時表示スケールは、残余月数を示し、前記分表示スケールは、ＬＥＤ２個当り残余日１日を示すか、前記１２方位の放射状に配列された分表示スケールは、前記時間表示部を中心に６方位に区分され、前記各方位内では外側から内側方向にＬＥＤ２個ずつ集められた５個の各層が残余日数を示し、また、残余日の経過によって現在時刻進行方向の反対に順次に点滅または消灯されるようにして残余日情報を表示する残余日表示段階と、をさらに含むことを特徴とする請求項８または９に記載の時間表示方法。
【手続補正２】
【補正対象書類名】明細書
【補正対象項目名】００１９
【補正方法】変更
【補正の内容】
【００１９】
一方、前記時間表示部は、時間表示部の中心に曜日を示すことができる６個または７個のＬＥＤで構成された曜日表示スケールをさらに含むことができ、前記時間表示スケールは、同一中心に所定の角度でバースケールで構成されることができ、前記分または秒表示スケールは、５分または５秒単位スケール及び残りのスケール色と異なる色を有することができる。
【手続補正３】
【補正対象書類名】明細書
【補正対象項目名】００２９
【補正方法】変更
【補正の内容】
【００２９】
前記入力部のボタンは、１つまたは複数の予定日または予定時刻を設定入力することができ、予定日または予定時刻までの残余日／残余時間を確認するボタンを含むことができ、前記制御部は、前記入力部が残余日／残余時間を確認する場合に、前記リアルタイム時計と前記メモリから伝達された時間情報によって変わる現在日または現在時刻から１つまたは複数の予定日または予定時刻までの１つまたは複数の残余日／残余時間の情報を前記時間表示部に示すように制御することができ、また、前記時間表示部は、残余日／残余時間識別部をさらに備えることができ、前記時間表示部に残余時間として表示される場合、前記時間表示スケールは、前記制御部からの１つまたは複数の残余時間情報によって現在時刻進行方向の反対に順次に点滅または消灯されるようにして１つまたは複数の残余時間を示すことができ、一方、前記時間表示部に残余日として表示される場合には、前記制御部からの制御によって前記時表示スケールは残余月数を示し、前記１２方位の放射状に配列された分表示スケールは、前記時間表示部を中心に６方位に区分され、前記各方位内では内側から外側方向にＬＥＤ２個ずつ集められた５個の各層が残余日数を示すか、前記時間表示部を中心に所定の角度で配列された分表示スケールの場合には、２個ＬＥＤ当たり残余日１日を示し、また、１つまたは複数の残余日の経過によって現在時刻進行方向の反対に順次に点滅または消灯されるようにして１つまたは複数の残余日数を示すことができ、また、前記時間表示部の前記ＬＣＤ窓は、前記入力部を通じて入力される１つまたは複数の予定日または予定時刻を示すことができ、予定機能設定及び残余日／残余時間識別部を含むことができる。
【手続補正４】
【補正対象書類名】明細書
【補正対象項目名】００４２
【補正方法】変更
【補正の内容】
【００４２】
本発明は、前記入力部が１つまたは多数の予定日、予定時刻、予定場所または相手方情報を設定入力するスケジュール入力段階と、前記入力部が前記予定日または予定時刻を設定入力した後に、残余日／残余時間を確認することができるようにする残余日／残余時間確認段階と、前記制御部が、前記スケジュール入力段階完了と同時に、前記リアルタイム時計から伝達された時間情報によって変わる現在時刻から１つまたは多数の予定日または予定時刻までの残余日／残余時間を計算するスケジュール計算段階と、前記制御部が、前記入力部が残余日／残余時間を確認する場合、前記計算された１つまたは多数の残余日／残余時間情報によってそれらのうち残余時間が１２時間または２４時間未満の場合のみに、前記時間表示部に時間表示スケールによって残余時間が表示されるように制御し、残余時間が１２時間または２４時間以上の場合のみに、前記時間表示部に表示スケールによって残余日が表示されるように制御するスケジュール制御段階と、前記時間表示部が、前記入力部が残余時間を確認する場合、前記時間表示スケールを構成するＬＥＤが前記制御部から伝達された変わる１つまたは多数の残余時間によって現在時刻進行方向の反対に順次に点滅または消灯されるようにして１つまたは多数の残余時間情報を表示する残余時間表示段階と、前記時間表示部が、前記入力部が残余日を確認する場合に、前記時表示スケールは残余月数を示し、前記分表示スケールは２個のＬＥＤ当たり残余日１日を示すか、前記１２方位の放射状に配列された分表示スケールは前記時間表示部を中心に６方位に区分され、前記各方位内では外側から内側方向にＬＥＤ２個ずつ集められた５個の各層が残余日数を示し、また、１つまたは複数の残余日の経過によって現在時刻進行方向の反対に順次に点滅または消灯されるようにして１つまたは多数の残余日情報を表示する残余日表示段階と、をさらに含むことができる。
【国際調査報告】
2009541772.tif 000014
2009541772.tif 000015
2009541772.tif 000016